(57)【要約】【課題】簡単な構造でセンサーユニットの結露を防止すること。【解決手段】センサーユニット１の外周に、通気性と撥水性とを有するガス透過性膜を備えた防滴カバー９を装着するとともに、防滴カバー９にＢ型シリカゲルを主成分とする吸湿シート３０を収容して構成されている。【選択図】図３
2005127889.tif 000002
【特許請求の範囲】
【請求項１】
センサーユニットの外周に、通気性と撥水性とを有するガス透過性膜を備えた防滴カバーを装着するとともに、前記防滴カバーにＢ型シリカゲルを主成分とする吸湿材を収容して構成された屋外設置用ガス測定装置用のガス検出器。
【請求項２】
前記Ｂ型シリカゲルがシート状に成形されている請求項１に記載の屋外設置用ガス測定装置用のガス検出器。
【発明の詳細な説明】
【技術分野】
【０００１】
本発明は、赤外線ガスセンサー等の比較的大型のセンサーを屋外に設置するためのケース構造に関する。
【背景技術】
【０００２】
比較的大型のセンサーユニット１は、図５(イ)に見られるように基台２に固定して使用されているが、屋外で使用する場合には、被検出ガスの流入を確保しつつ、雨水の浸入を防止するため、図５（ロ）に見られるように気体透過性と撥水性を有する膜を内蔵した筒状の防滴カバー３をセンサーユニット１に装着して使用されている（特許文献１）。
【特許文献１】特開2002-22655公報
【発明の開示】
【発明が解決しようとする課題】
【０００３】
これによれば、雨水などがセンサーユニットに浸入を防止できるものの、気体透過性と撥水性とを有する膜の湿気通気性が低いため、気温が降下したような場合には結露したり、また空気中に水滴（靄）を生じるという問題がある。このような問題を解消するため、ヒータを内蔵して温度や気温に応じて作動させることも考えられるが、構造が複雑化するという問題がある。
本発明はこのような問題に鑑みてなされたものであって、その目的とするところは、雨水の侵入と結露の発生を、簡単な構造で防止することができる屋外設置用ガス測定装置のガス検出器を提供することである。
【課題を解決するための手段】
【０００４】
このような問題を解消するために本発明においては、センサーユニットの外周に、通気性と撥水性とを有するガス透過性膜を備えた防滴カバーを装着するとともに、前記防滴カバーにＢ型シリカゲルを主成分とする吸湿材を収容して構成されている。
【発明の効果】
【０００５】
内筒を通過してセンサーユニットに到達した湿気は、Ｂ型シリカゲルを主成分とする吸湿シートの毛管凝縮により吸収されて結露が防止され、また環境中の相対湿度が低下すると、吸収していた水分が容易に放出されて吸湿可能な状態に復元される。
【発明を実施するための最良の形態】
【０００６】
そこで以下に本発明の詳細を図示した実施例に基づいて説明する。
図１は、センサーユニット１に装着されてセンサーユニット１を屋外で使用可能とするための防滴カバー３の一実施例を示すものであって、センサーユニット１の外周と若干の間隙を形成するように一端が蓋部４で封止され、他端に挿入口５を備えた筒状体６として構成されている。
【０００７】
挿入口側には後述するセンサーユニット１に装着された状態では気密性を確保するためのパッキン７が設けられている。なお、図中符号８は、蓋部４のほぼ中心に形成された校正ガス注入口７を示す。
【０００８】
筒状体６は、雨水等の浸入を防止しつつ、被検ガスを確実に透過させるため、図１(ハ)に示したように貫通孔９ａが穿設された保護筒９に、通気性と撥水性とを有するガス透過性膜１０を挟むように不錆性材料の金網１１、１１で補強した内筒１２を挿入して構成されている。
【０００９】
図２は、センサーユニット１の一実施例を示すものであって、この実施例では、赤外線式のガスとしてセンサーとして構成されており、ガス取入口２１が穿設された筒状体からなるチャンバー２２の一端に発光素子２３が、また他端に受光素子２４が対向する状態で配置して構成されている。
【００１０】
この実施例では、防爆構造とする関係上、金属粉を焼結して通気性と消炎性を確保した有底筒状の防爆ケース２６に収容されて一端を基部２７に固定されている。さらに防爆ケース２６の外周にはこれを破損から保護するため、保護枠２８が装着されている。
【００１１】
図３は、センサーユニット１に図１に示した防滴カバー３を装着した状態を示すものであって、センサーユニット１の基部２７側にパッキン７が嵌合して気密性を確保し、また先端側はガス注入口８が保護枠２８の貫通孔２９を通して防爆ケース２６の先端部に対向する。
【００１２】
そして、本発明においては、内筒１２の内側には、無定形の多孔質物質としての二酸化珪素（ＳｉＯ２）の粒子をシート体に積層して構成された吸湿シート３０が装填されている。
【００１３】
この吸湿シート３０に積層、固定されている無定形の多孔質物質としての二酸化珪素（ＳｉＯ２）の粒子は、平均細孔径が７nm程度の毛管凝縮の機能が強化されたＢ型シリカゲルと呼ばれるもので、図４に示したように湿気の吸着性能と放出性能とが、相対湿度に対してヒステリシス特性を有するとともに、表面吸着を重視するＡ型シリカゲルよりも高湿下で多量の湿気を吸収し、低湿下では徐々に湿気を放出するという特性を有する。
【００１４】
この実施例において、被検ガスとともに雨水が内筒１１まで到達しても、雨水は内筒１２のガス透過性膜１０により浸入を阻止され、被検ガスだけがセンサーユニット１に到達する。  防爆ケース２６の外周に到達した被検ガスは、防爆ケース２６を構成する焼結金属の細孔を通過してガス取入口２１からチャンバー２２の内部に流れ込む。これにより、雨水の浸入を阻止しつつ被検ガスの濃度を測定することができる。
【００１５】
このように雨水等の液滴の侵入を防止したとしても、湿気は内筒１１を通過してセンサーユニット１に到達する。気温が一定の状態では、センサーの発光素子２３などの熱により結露の発生が防止されるもの、外気温が急激に低下したような場合にはこの領域の相対湿度が非常に高くなり、露点まで低下する恐れがある。しかし、露点近くまで低下すると相対湿度が上昇するため、Ｂ型シリカゲルを主成分とする吸湿シート３０がその毛管凝縮による吸湿能力を発揮して多量の湿気を吸収し始め、結露を防止する。
【００１６】
一方、晴天などにより環境中の相対湿度が低下すると、吸湿シート３０は、Ｂ型シリカゲルを主成分として構成されているから、吸収していた水分を容易に、かつ徐々に放出するから、結露を発生させることなく吸湿可能な状態に復元する。
【００１７】
以下、湿度の高低に対応してこのような工程を繰り返すことにより、雨天などにより相対湿度が上昇した場合にでも結露が生じるのを防止できる。
【００１８】
このように、センサーユニット１の結露を長期間にわたって確実に結露を防止できるため、他のセンサーに比較して結露による測定誤差の発生が生じやすい光学式センサーを屋外で使用しても高い信頼性を維持してガスの濃度を検出することができる。
【図面の簡単な説明】
【００１９】
【図１】図（イ）乃至（ハ）は、それぞれ本発明の防滴カバーの一実施例を示す正面図、断面図、及び内筒の領域を拡大して示す断面図である。
【図２】センサーユニットの一実施例を示す断面図である。
【図３】同上センサーユニットに防滴カバーを装着した本発明の屋外設置用ガス測定装置用のガス検出器を示す断面図である。
【図４】吸湿シートの特性を示す線図である。
【図５】図(イ)、(ロ)は、それぞれ従来のガス検出器の一実施例を示す図である。
【符号の説明】
【００２０】
１  センサーユニット    ９  防滴カバー    １０  ガス透過性膜    ３０  吸湿シート
【図１】
2005127889.tif 000003
【図２】
2005127889.tif 000004
【図３】
2005127889.tif 000005
【図４】
2005127889.tif 000006
【図５】
2005127889.tif 000007